(57)【特許請求の範囲】
【請求項１】
対向装置から受信する光信号の入力光レベルの最大受信可能レベルと最小受信可能レベルとの間を複数段の入力光レベル範囲に分割して前記入力光レベルが前記複数段の入力光レベル範囲の何れに該当するかを計測する受光部と、
前記受光部が計測した前記入力光レベル範囲に応じて前記対向装置に送信する光信号の出力光レベル範囲を決定する制御部と、
前記制御部が決定した自装置側の前記出力光レベル範囲を前記対向装置への主信号の一部に含めて前記対向装置へ送信する送信部と、
前記対向装置から受信する主信号の一部に含まれる前記対向装置側の前記出力光レベル範囲を受信する受信部と
を有し、
前記制御部は、前記自装置側の前記出力光レベル範囲と前記対向装置側の前記出力光レベル範囲とを比較して、同じ出力光レベル範囲である場合に、当該出力光レベル範囲となるように自装置の出力光レベルを調整すると共に、前記対向装置の出力光レベルの調整の実行指示を前記対向装置に送信する
ことを特徴とする光伝送装置。
【請求項２】
対向装置から受信する光信号の入力光レベルの最大受信可能レベルと最小受信可能レベルとの間を複数段の入力光レベル範囲に分割して前記入力光レベルが前記複数段の入力光レベル範囲の何れに該当するかを計測し、
前記計測した前記入力光レベル範囲に応じて前記対向装置に送信する光信号の出力光レベル範囲を決定し、前記決定した自装置側の前記出力光レベル範囲を前記対向装置への主信号の一部に含めて前記対向装置へ送信し、前記対向装置から受信する主信号の一部に含まれる前記対向装置側の前記出力光レベル範囲を受信し、前記自装置側の前記出力光レベル範囲と前記対向装置側の前記出力光レベル範囲とを比較して、同じ出力光レベル範囲である場合に、当該出力光レベル範囲となるように自装置の出力光レベルを調整すると共に、前記対向装置の出力光レベルの調整の実行指示を前記対向装置に送信する
ことを特徴とする光レベル調整方法。
【発明の詳細な説明】
【技術分野】
【０００１】
本発明は、光伝送装置間で送受信する光信号のレベル調整技術に関する。
【背景技術】
【０００２】
近年、光ファイバーによる通信システムが主流となっている。このようなシステムでは、光伝送装置間（ノード間）の距離に依存する固定変動だけでなく、温度変化や季節変動、ルート変更などによって受信側の入力光レベルが変化する。例えばノード間距離が近距離である場合、光強度が強すぎるために受信側に固定ＰＡＤ（光減衰器）を入れてレベル調整を行う必要がある。また、隣接ノード間の距離に応じてファイバロス・マージンを確保する必要があり、受信側で十分な入力光レベルを確保できない場合もある。そこで、光入力レベルの情報を対向装置に送信して対向装置の光出力レベルを調整する方法が考えられている（例えば、特許文献１参照）。
【先行技術文献】
【特許文献】
【０００３】
【特許文献１】特開昭６２−０５１３２１号公報
【発明の概要】
【発明が解決しようとする課題】
【０００４】
しかしながら、従来技術では、対向する両方の装置において同じようにレベル調整が行われるとは限らず、入力光レベルの実測値から出力光レベルの調整値を求めるためには、技術的なノウハウが求められ、複雑な処理や詳細なテーブルなどが必要であった。また、対向する両方の装置で同じようにレベル調整を行うためには、温度変化による変動がある場合などでは両方の装置のレベル調整のタイミングをある程度合わせる必要もある。
【０００５】
上記課題に鑑み、本発明の目的は、入力光レベルを複数のレベル範囲に分割して計測して出力光レベルを増減することにより、簡単な処理で出力光レベルの調整を行うことができ、且つ、対向する両方の装置のレベル調整のタイミングを合わせることができる光伝送装置および光レベル調整方法を提供することである。
【課題を解決するための手段】
【０００６】
本発明に係る光伝送装置は、対向装置から受信する光信号の入力光レベルの最大受信可能レベルと最小受信可能レベルとの間を複数段の入力光レベル範囲に分割して前記入力光レベルが前記複数段の入力光レベル範囲の何れに該当するかを計測する受光部と、前記受光部が計測した前記入力光レベル範囲に応じて前記対向装置に送信する光信号の出力光レベル範囲を決定する制御部と、前記制御部が決定した自装置側の前記出力光レベル範囲を前記対向装置への主信号の一部に含めて前記対向装置へ送信する送信部と、前記対向装置から受信する主信号の一部に含まれる前記対向装置側の前記出力光レベル範囲を受信する受信部とを有し、前記制御部は、前記自装置側の前記出力光レベル範囲と前記対向装置側の前記出力光レベル範囲とを比較して、同じ出力光レベル範囲である場合に、当該出力光レベル範囲となるように自装置の出力光レベルを調整すると共に、前記対向装置の出力光レベルの調整の実行指示を前記対向装置に送信することを特徴とする。
【０００７】
本発明に係る光レベル調整方法は、対向装置から受信する光信号の入力光レベルの最大受信可能レベルと最小受信可能レベルとの間を複数段の入力光レベル範囲に分割して前記入力光レベルが前記複数段の入力光レベル範囲の何れに該当するかを計測し、前記計測した前記入力光レベル範囲に応じて前記対向装置に送信する光信号の出力光レベル範囲を決定し、前記決定した自装置側の前記出力光レベル範囲を前記対向装置への主信号の一部に含めて前記対向装置へ送信し、前記対向装置から受信する主信号の一部に含まれる前記対向装置側の前記出力光レベル範囲を受信し、前記自装置側の前記出力光レベル範囲と前記対向装置側の前記出力光レベル範囲とを比較して、同じ出力光レベル範囲である場合に、当該出力光レベル範囲となるように自装置の出力光レベルを調整すると共に、前記対向装置の出力光レベルの調整の実行指示を前記対向装置に送信する。
【発明の効果】
【０００８】
本発明に係る光伝送装置および光レベル調整方法は、入力光レベルを複数のレベル範囲に分割して計測して出力光レベルを増減することにより、簡単な処理で出力光レベルの調整を行うことができ、且つ、対向する両方の装置のレベル調整のタイミングを合わせることができる。
【０００９】
これにより、入力光レベルの実測値から出力光レベルをどの程度増減させるかなどの複雑な処理が不要になり、温度変化や季節変動、ルート変更などによりファイバロスが変化した場合でも、対向する両方の装置で自動的に出力光レベルの調整が行われ、運用者はその影響を意識せずに光伝送装置を運用することができる。
【図面の簡単な説明】
【００１０】
【図１】光伝送システム１００の構成例を示す図である。
【図２】第一の実施形態に係る光伝送装置１０１の構成例を示す図である。
【図３】入力光レベル範囲の一例を示す図である。
【図４】第一の実施形態に係る光伝送装置１０１のレベル調整処理を示すフローチャートである。
【図５】レベル調整例を示す図である。
【図６】第二の実施形態に係る光伝送装置１０１’の構成例を示す図である。
【図７】第二の実施形態に係る光伝送装置１０１’のレベル調整処理を示すフローチャートである。
【図８】レベルチェック処理を示すフローチャートである。
【発明を実施するための形態】
【００１１】
以下、本発明に係る光伝送装置および光レベル調整方法の実施形態について図面を用いて詳しく説明する。
【００１２】
図１は、光伝送システム１００の構成例を示す図である。光伝送システム１００は、光伝送装置１０１ａと光伝送装置１０１ｂとが光ファイバー１５１ａおよび光ファイバー１５１ｂを介して接続されている。尚、光ファイバー１５１ａおよび光ファイバー１５１ｂの２芯で送受信を構成する例を示したが、１芯の光ファイバーに送受信の信号を波長多重するようなシステムでも同様に適用可能である。ここで、光伝送装置１０１ａおよび光伝送装置１０１ｂは、本発明に係る光伝送装置に対応する。
【００１３】
図１において、光伝送装置１０１ａは、光ＩＦ（インターフェース）部１０２ａと、端末ＩＦ（インターフェース）部１０３ａと、監視制御部１０４ａとを有する。同様に、光伝送装置１０１ｂは、光ＩＦ（インターフェース）部１０２ｂと、端末ＩＦ（インターフェース）部１０３ｂと、監視制御部１０４ｂとを有する。ここで、光伝送装置１０１ａおよび光伝送装置１０１ｂは同じ構成および同じ機能を有する装置であり、光伝送装置１０１ａおよび光伝送装置１０１ｂに共通する説明においては、まとめて光伝送装置１０１と称する。同様に、光ＩＦ部１０２ａ，１０２ｂは光ＩＦ部１０２、端末ＩＦ部１０３ａ，１０３ｂは端末ＩＦ部１０３、監視制御部１０４ａ，１０４ｂは監視制御部１０４、のようにそれぞれ称する。
【００１４】
以下、光伝送装置１０１の実施形態について説明する。
（第一の実施形態）
図２は、第一の実施形態に係る光伝送装置１０１の構成例を示す図である。光伝送装置１０１は、図１で説明したように、光ＩＦ部１０２と、端末ＩＦ部１０３と、監視制御部１０４とを有する。光ＩＦ部１０２は対向装置との間で主信号の送受信を行い、端末ＩＦ部１０３はユーザー側の端末機器との間でユーザデータを送受信する。また、監視制御部１０４は光ＩＦ部１０２における対向装置からの入力光レベルを計測して自装置の出力光レベルを調整すると共に、対向装置へ動作情報などを通知する。尚、動作情報については、後で詳しく説明する。
【００１５】
図２において、光ＩＦ部１０２は、受光部２０１と、信号復号部２０２と、信号符号部２０３と、光出力部２０４と、出力調整部２０５とを有する。
【００１６】
受光部２０１は、対向装置から受光する主信号の光入力レベルを計測する。
【００１７】
信号復号部２０２は、受光部２０１で受光した信号の復号を行い、ユーザーデータは端末ＩＦ部１０３に出力し、制御データは監視制御部１０４に出力する。
【００１８】
信号符号部２０３は、端末ＩＦ部１０３から入力するユーザデータまたは監視制御部１０４から入力する制御データを符号化して光出力部２０４に出力する。
【００１９】
光出力部２０４は、信号符号部２０３で符号化されたデータを光信号に変換して対向装置に送信する。
【００２０】
出力調整部２０５は、監視制御部１０４からの制御に従って光出力部２０４から対向装置に送出する光信号の出力光レベルを調整する。
【００２１】
次に、監視制御部１０４は、読出部３０１と、制御部３０２と、外部ＩＦ（インターフェース）部３０３と、切替タイマ部３０４とを有する。
【００２２】
読出部３０１は、光ＩＦ部１０２の受光部２０１が計測した入力光レベルを読み出す。
【００２３】
制御部３０２は、読出部３０１が読み出した入力光レベルに応じて出力光レベルの調整値を決定する。そして、光ＩＦ部１０２の出力調整部２０５に出力光レベルの調整値を出力する。また、制御部３０２は、信号符号部２０３および光出力部２０４を介して対向装置への制御情報（制御データ）を対向装置に送信する。同様に、制御部３０２は、対向装置からの制御情報（制御データ）を受光部２０１および信号復号部２０２を介して受信する。尚、制御部３０２は、監視制御部１０４の各ブロックと接続され、制御情報や結果返答などを入出力し、各部の動作を制御する。
【００２４】
外部ＩＦ部３０３は、保守端末４０１を接続するためのインターフェースで、保守者が保守端末４０１を操作して、光伝送装置１０１の保守や監視を行う。特に本実施形態に係る光伝送装置１０１では、保守者は保守端末４０１からコマンドを発行して手動で受光部２０１の入力光レベルを読み出したり、光出力部２０４の出力光レベルの調整を行うことができる。また、自動で行う場合でも、自装置や対向装置の入力光レベルや出力光レベル或いは動作情報や警報などが保守端末４０１の画面に表示されるので、保守者は光伝送装置１０１の状態を監視することができる。
【００２５】
切替タイマ部３０４は、制御部３０２によって起動されて予め設定された時間を計り、設定時間が経過したら制御部３０２に通知する。
【００２６】
以上のように、本実施形態に係る光伝送装置１０１は構成される。尚、図２のブロック図は一例であり、入力光レベルを計測して出力光レベルを設定可能な構成であれば同様に実現できる。
【００２７】
ここで、受光部２０１で計測する入力光レベルについて説明する。図３（ａ）は、受光部２０１における入力光レベルの計測例を示す図である。図３（ａ）の例では、受光部２０１の入力光レベルの最大受信可能レベルと最小受信可能レベルとの範囲をＬｅｖｅｌ−１からＬｅｖｅｌ−５までの５段階に分割している。ここで、最大受信可能レベルとは、それ以上の大きな入力レベルの信号が入力された場合は、信号が歪んで正常にデータを復号できない信号レベルである。同様に、最小受信可能レベルとは、それ以下の小さな入力レベルの信号が入力された場合は、信号が小さ過ぎて正常にデータを復号できない信号レベルである。
【００２８】
このように、受光部２０１は、入力光レベルがＬｅｖｅｌ−１からＬｅｖｅｌ−５までの５段階のレベル範囲のどこに該当するかを判別するだけでよく、判別結果は監視制御部１０４により読み出される。尚、図３の説明では、理解し易いように５段階に分けているが、５段階である必要はなく、ｎ段階（Ｌｅｖｅｌ−１からＬｅｖｅｌ−ｎ（ｎは整数））でも構わない。ここで、本実施形態に係る光伝送装置１０１における入力光レベルの計測回路は、例えば段数分のコンパレータで比較するだけの簡易な回路で実現することができ、従来のように、入力光レベルを数値で実測するための複雑で高精度の回路を受光部２０１に設ける必要がなくなる。
【００２９】
尚、図３（ａ）の例で示したように、５段階に分割して入力光レベルを計測する場合、どのレベル範囲の場合はどのように判断するかを予め決めておいても構わない。例えば図３（ｂ）に示すように、５段階の真ん中のレベル範囲（Ｌｅｖｅｌ−３）の場合はレベル調整不要、Ｌｅｖｅｌ−３以外はレベル調整要と決めておく。さらに、Ｌｅｖｅｌ−１またはＬｅｖｅｌ−５の場合は警報を保守端末４０１に通知するようにしてもよい。
【００３０】
［レベル制御処理］
次に、本実施形態に係る光伝送装置１０１におけるレベル制御処理の一例について説明する。図４のフローチャートは、図１で説明した光伝送装置１０１ａと光伝送装置１０１ｂとの間でレベル制御を行う場合の処理の流れを示している。尚、図４では、光伝送装置１０１ａをマスター側、光伝送装置１０１ｂをスレーブ側として説明するが、逆であっても構わない。また、図４の各処理は、監視制御部１０４の制御部３０２を中心として実行され、定期的（例えば数時間毎など）に行われる。以下、各処理について順番に説明する。
【００３１】
（ステップＳ１０１）制御部３０２は、読出部３０１を介して受光部２０１から入力光レベルを読み出す。この時、図３（ａ）で説明したように、対向装置から受信する主信号の入力光レベルの範囲（Ｌｅｖｅｌ−ｎ）が制御部３０２に読み出される。
【００３２】
（ステップＳ１０２）制御部３０２は、入力光レベル範囲に応じて出力光レベルの調整値を決める。例えばＬｅｖｅｌ−２の場合は出力光レベルを１段階増加し、Ｌｅｖｅｌ−４の場合は出力光レベルを１段階減少する。ここで、出力光レベルの増加段数をさらに細かく分割しても構わないが、本実施形態では説明がわかり易いように、入力光レベルの適正範囲（Ｌｅｖｅｌ−３）との差分の段数だけ出力光レベルを増減させるものとする。尚、この時点では、未だ光出力部２０４のレベル制御は行われていない。また、Ｌｅｖｅｌ−３の場合は適正レベルなのでレベル制御を行わずに一連の処理を終了するようにしてもよい。
【００３３】
（ステップＳ１０３）制御部３０２は、切替タイマ部３０４を起動する。尚、切替タイマ部３０４が計るタイマ時間は、製造時のデフォルト値を用いるか、予め保守者により保守端末４０１から設定されているものとする。
【００３４】
（ステップＳ１０４）制御部３０２は、切替タイマ部３０４を起動したことを対向装置（図１では光伝送装置１０１ｂ）に通知する。尚、対向装置への通知は、主信号の一部（オーバーヘッドなど）を用いて送信される。
【００３５】
（ステップＳ１０５）制御部３０２は、切替タイマ部３０４のタイマ時間が経過したか否かを判別する。尚、図４の例ではわかり易いようにタイマ時間が経過するまでループ処理を行うようにしたが、実際には切替タイマ部３０４がタイマ時間経過時に制御部３０２に割り込み信号を出力するようにして、制御部３０２が他の処理を実行できるようにしてもよい。いずれの場合であっても、タイマ時間が経過したら次のステップＳ１０６の処理を実行する。
【００３６】
（ステップＳ１０６）制御部３０２は、光出力部２０４の出力光レベルを調整する。具体的には、ステップＳ１０２で求めた出力光レベルの調整値（出力光レベルの増減段数）に従って、光出力部２０４の出力光レベルを調整するように光ＩＦ部１０２の出力調整部２０５に指令する。そして、出力調整部２０５は、制御部３０２から指令された増減段数に応じて光出力部２０４の出力光レベルを調整する。例えばステップＳ１０２で求めた出力光レベルの調整値が１段の増加である場合は、光出力部２０４の出力光レベルを１段階上げる。尚、急激な信号変化によるエラーなどを回避するために、光出力部２０４の出力光レベルを増減する場合はステップ状に一気に増減するのではなく徐々に増減するようにした方がよい。また、ステップＳ１０２の入力光レベルがＬｅｖｅｌ−３の場合はレベル制御の必要がないので調整処理は行わない。或いは、ステップＳ１０２の段階で一連の処理を終了するようにしてもよい。
【００３７】
ここまでの処理で自装置のレベル調整が完了するが、対向装置のレベル調整の結果を確認するために次の処理ステップを実行する。
【００３８】
（ステップＳ１０７）制御部３０２は、対向装置からレベル調整結果の返答を受信したか否かを判別し、受信するまで待つ。尚、対向装置からの通知は、主信号の一部（オーバーヘッドなど）を用いて送信される。また、図４の例ではわかり易いように結果応答を受信するまでループ処理を行うようにしたが、実際には結果応答の受信時に信号復号部２０２などから制御部３０２に割り込み信号を出力するようにして、制御部３０２が他の処理を実行できるようにしてもよい。いずれの場合であっても、結果応答を受信したら次のステップＳ１０８の処理を実行する。
【００３９】
（ステップＳ１０８）制御部３０２は、自装置のレベル調整結果および対向装置のレベル調整結果などを保守端末４０１に表示して保守者に通知する。例えば保守端末４０１の画面に、レベル調整前の自装置および対向装置の入力光レベルと出力光レベル設定値、レベル調整後の自装置および対向装置の入力光レベルと出力光レベル設定値、などが表示される。これにより、保守者はレベル制御が正常に実行されたか否かを確認することができる。
【００４０】
ここで、対向装置の光伝送装置１０１ｂでは、次の処理が実行される。
【００４１】
（ステップＳ２０１）光伝送装置１０１ｂの制御部３０２は、光伝送装置１０１ａからタイマ起動通知を受信したか否かを判別し、受信するまで待つ。ここで、タイマ起動通知を受信するまでループ処理を行うようにしたが、先に述べたように割り込み処理にしてもよい。
【００４２】
（ステップＳ２０２）光伝送装置１０１ｂの制御部３０２は、読出部３０１を介して受光部２０１から入力光レベルの範囲（Ｌｅｖｅｌ−ｎ）を読み出す。
【００４３】
（ステップＳ２０３）光伝送装置１０１ｂの制御部３０２は、ステップＳ１０２と同様にして、入力光レベル範囲に応じて出力光レベルの調整値を決める。尚、この時点では、未だ光出力部２０４のレベル制御は行われていない。
【００４４】
（ステップＳ２０４）光伝送装置１０１ｂの制御部３０２は、切替タイマ部３０４を起動する。尚、切替タイマ部３０４が計るタイマ時間は、光伝送装置１０１ａのタイマ時間と同じ時間に設定されている。
【００４５】
（ステップＳ２０５）光伝送装置１０１ｂの制御部３０２は、切替タイマ部３０４のタイマ時間が経過したか否かを判別する。ここで、タイマ時間が経過するまでループ処理を行うようにしたが、先に述べたように割り込み処理にしてもよい。
【００４６】
（ステップＳ２０６）光伝送装置１０１ｂの制御部３０２は、光出力部２０４の出力光レベルを調整する。具体的には、ステップＳ２０３で求めた出力光レベルの調整値（出力光レベルの増減段数）に従って、光出力部２０４の出力光レベルを調整するように光ＩＦ部１０２の出力調整部２０５に指令する。そして、出力調整部２０５は、制御部３０２から指令された増減段数に応じて光出力部２０４の出力光レベルを調整する。
【００４７】
（ステップＳ２０７）光伝送装置１０１ｂの制御部３０２は、レベル調整結果を光伝送装置１０１ａ側に返答する。例えば返答内容は、レベル調整前の入力光レベルと出力光レベル設定値、レベル調整後の入力光レベルと出力光レベル設定値などである。
【００４８】
このようにして、自装置（光伝送装置１０１ａ）と対向装置（光伝送装置１０１ｂ）の両方の出力光レベルを調整して、適正な入力光レベルを得ることができる。
【００４９】
ここで、図４のフローチャートで説明したレベル調整例について、図５を用いて説明する。図５（ａ）は光伝送装置１０１ａのレベル調整前の入力光レベル例を示した図で、黒丸印で示したように入力光レベル範囲のＬｅｖｅｌ−２であったとする。この場合、適正な入力光レベル範囲のＬｅｖｅｌ−３との段数差が１なので、図５（ｂ）に示すように出力光レベルを１段階増加させるレベル合わせを行う。同様のレベル調整は、対向装置の光伝送装置１０１ｂにおいても行われ、光伝送装置１０１ｂの出力光レベルを１段階増加させるレベル合わせが行われている。この結果、自装置の光伝送装置１０１ａの調整後の入力光レベルは、図５（ｃ）に示したように調整前の入力光レベル範囲Ｌｅｖｅｌ−２からＬｅｖｅｌ−３に増加されて適正レベルで受信することができる。
【００５０】
特に本実施形態に係る光伝送装置１０１では、マスタ側の光伝送装置１０１ａが切替タイマ部３０４を起動した時点でスレーブ側の光伝送装置１０１ｂにタイマ起動を通知して光伝送装置１０１ｂ側でも同時間の切替タイマ部３０４を起動し、光伝送装置１０１ａおよび光伝送装置１０１ｂの双方において、タイマ時間が経過したタイミングでレベル調整を実行するので、通知や起動の時間のずれはあるがレベル調整の時間差を少なくし、ほぼ同時刻にレベル調整を完了することができる。これによる効果として、例えば光伝送装置１０１ａと光伝送装置１０１ｂとの間のレベル調整のタイミングに大きな時間差がある場合、温度変動などによって先にレベル調整を行った装置と、後でレベル調整を行った装置との間で計測値や調整値が異なるという問題を回避できる。特に片方の装置の調整値が適正値の上限近くで対向装置の調整値が適正値の下限近くに調整された場合は、いずれかの装置に再びレベル調整を行う必要が生じる確立が高くなってしまうので、できるだけ対向する二つの装置のレベル調整値を同程度にしておくのが好ましい。
【００５１】
以上説明したように、本実施形態に係る光伝送装置１０１および光レベル調整方法は、入力光レベルを複数のレベル範囲に分割して計測して出力光レベルを段階的に増減することにより、簡単な処理で出力光レベルの調整を行うことができ、且つ、対向する両方の装置におけるレベル調整のタイミングを合わせることができる。
【００５２】
これにより、入力光レベルの実測値から出力光レベルをどの程度減衰させるかなどの複雑な処理が不要になり、温度変化や季節変動、ルート変更などによりファイバロスが変化した場合でも、対向する両方の装置で自動的に出力光レベルの調整が行われ、運用者はその影響を意識せずに光伝送装置を運用することができる。
（第二の実施形態）
次に、第二の実施形態に係る光伝送装置１０１’について説明する。図６は、光伝送装置１０１’の構成例を示す図である。光伝送装置１０１’は、図２で説明した光伝送装置１０１と殆ど同じ構成であるが、監視制御部１０４’は、監視制御部１０４のような切替タイマ部３０４を持たない。尚、図６において、図２と同符号のブロックは同じブロックなので重複する説明は省略する。
【００５３】
図６において、光伝送装置１０１と異なるのは光伝送装置１０１’の監視制御部１０４’で、切替タイマ部３０４が無いことと、制御部３０２’の処理が制御部３０２とは少し異なる。尚、本実施形態においても、図３で説明したように、入力光レベルを複数段の入力光レベル範囲に分けて計測して出力光レベルを調整する技術は第一の実施形態と同じである。
【００５４】
［レベル制御処理］
次に、本実施形態に係る光伝送装置１０１’におけるレベル制御処理の一例について説明する。図７のフローチャートは、図１で説明した光伝送装置１０１ａ（図７では光伝送装置１０１’ａ）と光伝送装置１０１ｂ（図７では光伝送装置１０１’ｂ）との間でレベル制御を行う場合の処理の流れを示している。尚、図７では、光伝送装置１０１’ａをマスター側、光伝送装置１０１’ｂをスレーブ側として説明するが、逆であっても構わない。また、図７の各処理は、監視制御部１０４の制御部３０２’を中心として実行され、定期的（例えば数時間毎など）に行われる。ここで、図７において図４と同符号の処理ステップは同じ処理を行うので重複する説明は省略し、異なる部分についてのみ説明する。
【００５５】
図７において、ステップＳ１０１およびステップＳ１０２の処理は図４のフローチャートと同じで、光伝送装置１０１’ａの出力光の調整レベルを確定する。尚、この時点では、実際のレベル調整は行われていない。そして、次のステップＳ３０１を実行する。
【００５６】
（ステップＳ３０１）光伝送装置１０１’ａの制御部３０２’は、ステップＳ１０２で確定した調整レベルを対向装置の光伝送装置１０１’ｂに通知する。尚、対向装置への通知は、主信号の一部（オーバーヘッドなど）を用いて送信される。
【００５７】
（ステップＳ３０２）光伝送装置１０１’ａの制御部３０２’は、光伝送装置１０１’ｂから対向装置側の調整レベル通知を受信したか否かを判別し、受信するまで待つ。ここで、調整レベル通知を受信するまでループ処理を行うようにしたが、先に述べたように割り込み処理にしてもよい。
【００５８】
（ステップＳ３０３）光伝送装置１０１’ａの制御部３０２’は、自装置（光伝送装置１０１’ａ）の調整レベルと、対向装置（光伝送装置１０１’ｂ）の調整レベルとを比較する。
【００５９】
（ステップＳ３０４）光伝送装置１０１’ａの制御部３０２’は、ステップＳ３０３の比較結果が同じであるか否かを判別する。例えば自装置の調整レベルがＬｅｖｅｌ−２からＬｅｖｅｌ−３への１段階増加で、対向装置の調整レベルもＬｅｖｅｌ−２からＬｅｖｅｌ−３への１段階増加である場合は同じであると判断してステップＳ３０５に進み、対向装置の調整レベルがＬｅｖｅｌ−１からＬｅｖｅｌ−３への２段階増加である場合は異なると判断してステップＳ１０８で保守者に通知する。尚、保守者への通知は、例えば自装置と対向装置のレベル調整値とが保守端末４０１の画面に表示される。
【００６０】
（ステップＳ３０５）光伝送装置１０１’ａの制御部３０２’は、対向装置の光伝送装置１０１’ｂにレベル調整を実行するように指示する。尚、対向装置への指示は、主信号の一部（オーバーヘッドなど）を用いて送信される。この処理の後、図４で説明したステップＳ１０６からステップＳ１０８までの処理を実行して、一連のレベル調整処理を終了する。
【００６１】
次に、対向装置の光伝送装置１０１’ｂの処理について説明する。
【００６２】
（ステップＳ４０１）光伝送装置１０１’ｂの制御部３０２’は、光伝送装置１０１’ａから調整レベル通知を受信したか否かを判別し、受信するまで待つ。ここで、調整レベル通知を受信するまでループ処理を行うようにしたが、先に述べたように割り込み処理にしてもよい。そして、光伝送装置１０１’ａから調整レベル通知を受信した場合は、図４で説明したステップＳ２０２およびステップＳ２０３の処理を実行して、光伝送装置１０１’ｂにおける調整レベルを確定する。
【００６３】
（ステップＳ４０２）光伝送装置１０１’ｂの制御部３０２’は、ステップＳ２０３で確定した調整レベルを光伝送装置１０１’ａに通知する。尚、調整レベルの通知は、主信号の一部（オーバーヘッドなど）を用いて送信される。
【００６４】
（ステップＳ４０３）光伝送装置１０１’ｂの制御部３０２’は、光伝送装置１０１’ａからレベル調整指示を受信したか否かを判別し、受信するまで待つ。ここで、レベル調整指示を受信するまでループ処理を行うようにしたが、先に述べたように割り込み処理にしてもよい。そして、光伝送装置１０１’ａからレベル調整指示を受信した場合は、図４で説明したステップＳ２０６およびステップＳ２０７の処理を実行して、光伝送装置１０１’ｂにおける出力光レベルの調整を実行し、レベル調整結果を光伝送装置１０１’ａ側に返答する。例えば返答内容は、レベル調整前の入力光レベルと出力光レベル設定値、レベル調整後の入力光レベルと出力光レベル設定値などである。
【００６５】
このようにして、自装置（光伝送装置１０１’ａ）と対向装置（光伝送装置１０１’ｂ）の両方の出力光レベルを調整して、適正な入力光レベルを得ることができる。尚、本実施形態に係る光伝送装置１０１’においても、先に図５で説明したようなレベル調整を行うことができる。
【００６６】
また、本実施形態に係る光伝送装置１０１’では、マスタ側の光伝送装置１０１’ａとスレーブ側の光伝送装置１０１’ｂとの間で調整レベルを通知して、調整レベルが同じ場合にレベル調整指示を送信してレベル調整を実行するので、通知の時間のずれはあるがレベル調整の時間差を少なくし、ほぼ同時刻にレベル調整を完了することができ、第一の実施形態と同様の効果を得ることができる。
【００６７】
以上説明したように、本実施形態に係る光伝送装置１０１’および光レベル調整方法は、入力光レベルを複数のレベル範囲に分割して計測して出力光レベルを増減することにより、簡単な処理で出力光レベルの調整を行うことができ、且つ、対向する両方の装置のレベル調整のタイミングを合わせることができる。
【００６８】
これにより、入力光レベルの実測値から出力光レベルをどの程度減衰させるかなどの複雑な判定処理が不要になり、温度変化や季節変動、ルート変更などによりファイバロスが変化した場合でも、対向する両方の装置で自動的に出力光レベルの調整が行われ、運用者はその影響を意識せずに光伝送装置を運用することができる。
【００６９】
（変形例）
先に図３で説明したように、入力光レベル範囲が適正範囲（例えばＬｅｖｅｌ−３）の場合はレベル制御を行う必要がなく、適正範囲以外の場合にレベル調整を行う必要がある。そこで、図８のフローチャートに示すように、入力光レベルのレベルチェック処理を定期的に実行して、入力光レベル範囲が適正でない場合に保守者に通知してレベル調整を行うようにしてもよい。図８の例では、ステップＳ５０１において、先に説明したステップＳ１０１と同様に受光部２０１で入力光レベル範囲を計測する。そして、ステップＳ５０２において、入力光レベル範囲が適正レベル範囲のＬｅｖｅｌ−３であるか否かを判別し、Ｌｅｖｅｌ−３の場合は処理を終了し、Ｌｅｖｅｌ−３以外の場合はステップＳ５０３に進む。ステップＳ５０３では、保守者に保守端末４０１を介して入力光レベル範囲が外れていることを通知する。そして、ステップＳ５０４では、手動または自動によるレベル調整処理を実行する。ここで、自動によるレベル調整は、先に第一の実施形態で説明した図４の処理または第二の実施形態で説明した図７の処理を実行すればよい。
【００７０】
一方、保守者が手動でレベル調整を実行する場合は、保守端末４０１からコマンドを発行して、図４や図７で説明した処理を手動で実行する。例えば、図４の処理の場合は、ステップＳ１０１において、保守者は保守端末４０１から受光部２０１の入力光レベル範囲を読み出すコマンドを読出部３０１に発行し、読出部３０１は入力光レベル範囲を読み出す。そして、ステップＳ１０２において、保守者は保守端末４０１に表示された入力光レベル範囲から出力光レベルの調整レベルを確定する。この時、保守者は、受光部２０１から読み出した入力光レベル範囲と適正な入力光レベル範囲（例えばＬｅｖｅｌ−３）との段数差を求めればよいだけなので、熟練した保守者でなくても容易に調整値を求めることができ、保守者に求めるスキルを軽減させる効果があり、どの程度の出力光レベルの調整が必要であるかを求める複雑な計算を行う必要がなくなる。
【００７１】
このように、レベル調整処理を行うためのトリガは、ある一定の入力光レベル範囲を超えた場合に自律的に動作するようにしてもよいし、保守者のコマンド発行を契機に動作するようにしてもよい。
【００７２】
以上、各実施形態で説明したように、本発明に係る光伝送装置および光レベル調整方法は、入力光レベルをアナログの実測値として計測するのではなく、複数のレベル範囲に分割して計測し、これに応じて出力光レベルの増減量を段階的に設定することにより、簡単な回路および処理で出力光レベルの調整を行うことができる。また、タイマーの設定やレベル調整値の確認を行うことにより、対向する両方の装置のレベル調整のタイミングを合わせて確実に適正レベルに調整することができる。さらに、レベル調整を行った際に調整結果を保守者に通知する機能により、保守者は現在の送信レベルおよび受信レベルを確認することができる。
【００７３】
これにより、入力光レベルの実測値から出力光レベルをどの程度減衰させるかなどの複雑な判定処理が不要になり、温度変化や季節変動、ルート変更などによりファイバロスが変化した場合でも、対向する両方の装置で自動的に出力光レベルの調整が行われ、運用者はその影響を意識せずに光伝送装置を運用することができる。
【００７４】
尚、本発明に係る光伝送装置および光レベル調整方法について、各実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００７５】
１００・・・光伝送システム
１０１，１０１ａ，１０１ｂ，１０１’，１０１’ａ，１０１’ｂ・・・光伝送装置
１５１ａ，１５１ｂ・・・光ファイバー
１０２，１０２ａ，１０２ｂ・・・光ＩＦ部
１０３，１０３ａ，１０３ｂ・・・端末ＩＦ部
１０４，１０４ａ，１０４ｂ，１０４’・・・監視制御部
２０１・・・受光部
２０２・・・信号復号部
２０３・・・信号符号部
２０４・・・光出力部
２０５・・・出力調整部
３０１・・・読出部
３０２，３０２’・・・制御部
３０３・・・外部ＩＦ部
３０４・・・切替タイマ部
４０１・・・保守端末
【図１】
0005971302.tif 000002
【図２】
0005971302.tif 000003
【図３】
0005971302.tif 000004
【図４】
0005971302.tif 000005
【図５】
0005971302.tif 000006
【図６】
0005971302.tif 000007
【図７】
0005971302.tif 000008
【図８】
0005971302.tif 000009